(57)【特許請求の範囲】
【請求項１】
公衆回線網を介して音声通信及びデータ通信を行うと共に、第１通信による音声通信と第２通信によるデータ通信とを行う第１装置と、前記第１装置との間で前記第１通信を行う第２装置とを備える無線通信システムに用いられる無線通信装置であって、
前記第１通信用の第１通信部と、
前記第２通信用の第２通信インタフェース部と、
前記第２通信インタフェース部により前記第１装置との間で第１データ通信リンクを確立する第１制御手段と、
前記第１通信部により前記第１装置から前記第２装置への接続要求を受信して前記第１装置との間に第１音声通信リンクを確立する第２制御手段と、
前記第１通信部により前記第２装置から前記第１装置への接続要求を受信して前記第２装置との間に前記第１データ通信リンクおよび前記第１音声通信リンクに対応する第２データ通信リンクおよび第２音声通信リンクを確立する第３制御手段と
を具備することを特徴とする無線通信装置。
【請求項２】
公衆回線網を介して音声通信及びデータ通信を行うと共に、周波数ホッピング方式を用いた近距離無線通信を用いた音声通信と有線接続を用いたデータ通信とを行う第１装置と、前記第１装置との間で前記近距離無線通信を行う第２装置とを備える無線通信システムに用いられる無線通信装置であって、
前記近距離無線通信用の近距離無線通信部と、
前記有線接続用の有線インタフェース部と、
前記有線インタフェース部により前記第１装置との間で第１データ通信リンクを確立する第１制御手段と、
前記近距離無線通信部により前記第１装置から前記第２装置への接続要求を受信して前記第１装置との間に第１音声通信リンクを確立する第２制御手段と、
前記近距離無線通信部により前記第２装置から前記第１装置への接続要求を受信して前記第２装置との間に前記第１データ通信リンクおよび前記第１音声通信リンクに対応する第２データ通信リンクおよび第２音声通信リンクを確立する第３制御手段と
を具備することを特徴とする無線通信装置。
【請求項３】
公衆回線網を介して音声通信及びデータ通信を行うと共に、周波数ホッピング方式を用いた近距離無線通信を用いた音声通信と無線ＬＡＮ接続を用いたデータ通信とを行う第１装置と、前記第１装置との間で前記近距離無線通信を行う第２装置とを備える無線通信システムに用いられる無線通信装置であって、
前記近距離無線通信用の近距離無線通信部と、
前記無線ＬＡＮ接続用の無線ＬＡＮインタフェース部と、
前記無線ＬＡＮインタフェース部により前記第１装置との間で第１データ通信リンクを確立する第１制御手段と、
前記近距離無線通信部により前記第１装置から前記第２装置への接続要求を受信して前記第１装置との間に第１音声通信リンクを確立する第２制御手段と、
前記近距離無線通信部により前記第２装置から前記第１装置への接続要求を受信して前記第２装置との間に前記第１データ通信リンクおよび前記第１音声通信リンクに対応する第２データ通信リンクおよび第２音声通信リンクを確立する第３制御手段と
を具備することを特徴とする無線通信装置。
【請求項４】
公衆回線網を介して音声通信及びデータ通信を行うと共に、周波数ホッピング方式を用いた近距離無線通信を用いた音声通信と無線ＬＡＮ接続を用いたデータ通信とを行う第１装置と、前記第１装置との間で前記近距離無線通信を行う第２装置とを備える無線通信システムに用いられる無線通信装置であって、
前記近距離無線通信用の近距離無線通信部と、
前記有線接続用の有線インタフェース部と、
前記有線インタフェース部にコネクタ接続される無線ＬＡＮユニットと、
前記無線ＬＡＮユニットを介して前記有線インタフェース部により前記第１装置との間で第１データ通信リンクを確立する第１制御手段と、
前記近距離無線通信部により前記第１装置から前記第２装置への接続要求を受信して前記第１装置との間に第１音声通信リンクを確立する第２制御手段と、
前記近距離無線通信部により前記第２装置から前記第１装置への接続要求を受信して前記第２装置との間に前記第１データ通信リンクおよび前記第１音声通信リンクに対応する第２データ通信リンクおよび第２音声通信リンクを確立する第３制御手段と
を具備することを特徴とする無線通信装置。
【請求項５】
前記第１装置はスマートフォンであり、前記第２装置はナビゲーションシステムであることを特徴とする請求項１乃至４のいずれか１項に記載の無線通信装置。
【請求項６】
前記第１装置が有する近距離無線通信の第１規格と前記第２装置が有する近距離無線通信の第２規格とが異なる場合に、前記近距離無線通信部は、前記第１規格と前記第２規格とに互換性を有することを特徴とする請求項２に記載の無線通信装置。
【発明の詳細な説明】
【技術分野】
【０００１】
この発明は、例えばスマートフォン等を外部機器と連接させるための無線通信装置に関する。
【背景技術】
【０００２】
スマートフォンは、広域網での携帯電話端末に替わる携帯情報通信端末であり、更に携帯電話端末の機能を併せ持っている。但し、携帯電話機は音声通信をベースにしているのに対し、スマートフォンではデータ通信による情報操作をベースとするところに特徴を持つ。このスマートフォンは近年、アプリケーションの柔軟性・利便性、及び端末の持つ操作性、更には本体のデザイン・音楽配信との融合等からの斬新さから、今では市場マップを塗り替える勢いにて急激・急速に需要を伸ばしている。この新規ニーズに対して通信事業者は、本ニーズに即応し顧客離れ防止、更には新規顧客獲得を目的としてスマートフォン端末の展開を最優先として市場の拡大を強いられている。
【先行技術文献】
【特許文献】
【０００３】
【特許文献１】特開２０１１−１６６６９５号公報
【発明の概要】
【発明が解決しようとする課題】
【０００４】
このような事情により、通信事業者は、従来携帯電話にて普及・定常化した各種サービスへの構築、対応遅れに対し機能を縮減、更には制約して、この急激な変化に対応している。この対応において、通信端末を通じてオープンなサービスを提供する外部連接機能については特にこの傾向が顕著にみられ、市場問合・申告も急増している。これは多くのエンドユーザが、スマートフォンは携帯電話の延長と捉え、当然、上位機能互換と認識しており、本動向は例外として予測しておらず、このためにスマートフォンに機種変更をした多くのユーザから従来機能を補完する提案が求められている。
【０００５】
この発明は上記事情に着目してなされたもので、その目的とするところは、既存の機器に手を加えることなく、外部機器との連接機能を補完することができる無線通信装置を提供することにある。
【課題を解決するための手段】
【０００６】
上記目的を達成するためにこの発明に係る無線通信装置の第１の態様は、公衆回線網を介して音声通信及びデータ通信を行うと共に、第１通信による音声通信と第２通信によるデータ通信とを行う第１装置と、前記第１装置との間で前記第１通信を行う第２装置とを備える無線通信システムに用いられる無線通信装置であって、前記第１通信用の第１通信部と、前記第２通信用の第２通信インタフェース部と、前記第２通信インタフェース部により前記第１装置との間で第１データ通信リンクを確立する第１制御手段と、前記第１通信部により前記第１装置から前記第２装置への接続要求を受信して前記第１装置との間に第１音声通信リンクを確立する第２制御手段と、前記第１通信部により前記第２装置から前記第１装置への接続要求を受信して前記第２装置との間に前記第１データ通信リンクおよび前記第１音声通信リンクに対応する第２データ通信リンクおよび第２音声通信リンクを確立する第３制御手段とを具備するものである。  
上記第１の態様によれば、第１装置と第２装置との連接に際し、無線通信装置を中継接続して第１通信及び第２通信を用いて音声通信及びデータ通信が可能となり、既存の機器に手を加えることなく、外部機器との連接機能を補完することができる。
【０００７】
この発明に係る無線通信装置の第２の態様は、公衆回線網を介して音声通信及びデータ通信を行うと共に、周波数ホッピング方式を用いた近距離無線通信を用いた音声通信と有線接続を用いたデータ通信とを行う第１装置と、前記第１装置との間で前記近距離無線通信を行う第２装置とを備える無線通信システムに用いられる無線通信装置であって、前記近距離無線通信用の近距離無線通信部と、前記有線接続用の有線インタフェース部と、前記有線インタフェース部により前記第１装置との間で第１データ通信リンクを確立する第１制御手段と、前記近距離無線通信部により前記第１装置から前記第２装置への接続要求を受信して前記第１装置との間に第１音声通信リンクを確立する第２制御手段と、前記近距離無線通信部により前記第２装置から前記第１装置への接続要求を受信して前記第２装置との間に前記第１データ通信リンクおよび前記第１音声通信リンクに対応する第２データ通信リンクおよび第２音声通信リンクを確立する第３制御手段とを具備するものである。  
上記第２の態様によれば、第１装置と第２装置との連接に際し、無線通信装置を中継接続して有線接続リンクと無線接続リンクを集約することが可能となり、既存の機器に手を加えることなく、外部機器との連接機能を補完することができる。
【０００８】
この発明に係る無線通信装置の第３の態様は、公衆回線網を介して音声通信及びデータ通信を行うと共に、周波数ホッピング方式を用いた近距離無線通信を用いた音声通信と無線ＬＡＮ接続を用いたデータ通信とを行う第１装置と、前記第１装置との間で前記近距離無線通信を行う第２装置とを備える無線通信システムに用いられる無線通信装置であって、前記近距離無線通信用の近距離無線通信部と、前記無線ＬＡＮ接続用の無線ＬＡＮインタフェース部と、前記無線ＬＡＮインタフェース部により前記第１装置との間で第１データ通信リンクを確立する第１制御手段と、前記近距離無線通信部により前記第１装置から前記第２装置への接続要求を受信して前記第１装置との間に第１音声通信リンクを確立する第２制御手段と、前記近距離無線通信部により前記第２装置から前記第１装置への接続要求を受信して前記第２装置との間に前記第１データ通信リンクおよび前記第１音声通信リンクに対応する第２データ通信リンクおよび第２音声通信リンクを確立する第３制御手段とを具備するものである。
【０００９】
上記第３の態様によれば、第１装置が有する無線ＬＡＮ機能を利用してデータ通信リンクを確立することで、第１装置と第２装置との連接に際し、無線通信装置をケーブル無しで中継接続して、既存の機器に手を加えることなく、データ通信機能と音声通信機能のような複数のサービスを提供することが可能となる。
【００１０】
この発明に係る無線通信装置の第４の態様は、公衆回線網を介して音声通信及びデータ通信を行うと共に、周波数ホッピング方式を用いた近距離無線通信を用いた音声通信と無線ＬＡＮ接続を用いたデータ通信とを行う第１装置と、前記第１装置との間で前記近距離無線通信を行う第２装置とを備える無線通信システムに用いられる無線通信装置であって、前記近距離無線通信用の近距離無線通信部と、前記有線接続用の有線インタフェース部と、前記有線インタフェース部にコネクタ接続される無線ＬＡＮユニットと、前記無線ＬＡＮユニットを介して前記有線インタフェース部により前記第１装置との間で第１データ通信リンクを確立する第１制御手段と、前記近距離無線通信部により前記第１装置から前記第２装置への接続要求を受信して前記第１装置との間に第１音声通信リンクを確立する第２制御手段と、前記近距離無線通信部により前記第２装置から前記第１装置への接続要求を受信して前記第２装置との間に前記第１データ通信リンクおよび前記第１音声通信リンクに対応する第２データ通信リンクおよび第２音声通信リンクを確立する第３制御手段とを具備するものである。  
上記第４の態様によれば、上記第３の態様と同様の効果を得ることができ、さらに無線ＬＡＮユニットを着脱することで、第１装置の仕様に合わせて有線接続にも無線ＬＡＮ接続にも対応可能となる。
【００１１】
この発明に係る無線通信装置の第５の態様は、上記第１乃至４のいずれかの態様において、前記第１装置はスマートフォンであり、前記第２装置はナビゲーションシステムであることを特徴とする。  
上記第２の態様によれば、無線通信装置を用いることで、例えば、スマートフォン及び既存のナビゲーションシステムを機器交換又は改修することなく、例えば、従来の携帯電話機と同様にデータ通信や音声通信のためのダイヤルアップ接続機能とハンズフリー機能の複数のサービスを提供することが可能となる。
【００１２】
この発明に係る無線通信装置の第６の態様は、上記第２の態様において、前記第１装置が有する近距離無線通信の第１規格と前記第２装置が有する近距離無線通信の第２規格とが異なる場合に、前記近距離無線通信部は、前記第１規格と前記第２規格とに互換性を有することを特徴とする。
【００１３】
上記第６の態様によれば、無線通信装置で無線通信規格のバージョン等の差異を補完することにより、例えば、スマートフォンの無線通信規格のバージョンに合わせてナビゲーションシステムのバージョンアップ等をする必要がない。
【発明の効果】
【００１４】
すなわちこの発明によれば、既存の機器に手を加えることなく、外部機器との連接機能を補完することができる無線通信装置を提供することができる。
【図面の簡単な説明】
【００１５】
【図１】本発明の第１実施形態に係る無線通信装置を用いた無線通信システムを示す図。
【図２】図１の無線通信システムの連接処理を示すシーケンス図。
【図３】本発明の第２実施形態に係る無線通信装置を用いた無線通信システムを示す図。
【図４】図３の無線通信システムの連接処理を示すシーケンス図。
【図５】本発明の第３実施形態に係る無線通信装置を用いた無線通信システムを示す図。
【発明を実施するための形態】
【００１６】
以下、図面を参照してこの発明に係る実施形態を説明する。  
［第１実施形態］  
図１に、本発明の第１実施形態に係る無線通信装置を用いた無線通信システムを示す。
従来のＰＤＣ（Personal Digital cellular）やＩＭＴ−２０００（International Mobile Telecommunications 2000）規格の携帯電話機では、ナビゲーションシステム２と有線接続（ＵＳＢインタフェース、シリアル通信等）の場合でも無線接続（Bluetooth（登録商標）、Wi-Fi等）の場合でもデータ通信機能とハンズフリー音声通話の複数のサービスを提供することが可能であった。これに対し、スマートフォン１をナビゲーションシステム２と直接的に連接した場合は、例えば、有線接続ではハンズフリー音声通話が利用できず、無線接続ではデータ通信機能が利用できないという問題を生じることがある。
【００１７】
そこで、本実施形態では、このような問題を解決するために、スマートフォン１（第１装置）とナビゲーションシステム２（第２装置）との連接に際し、無線通信装置３を中継接続することで、データ通信機能とハンズフリー音声通話の複数のサービスを提供する例について説明する。
【００１８】
図１において、スマートフォン１は、Bluetooth通信機能に対応する近距離無線通信部１１、公衆網ＷＡＮを介して音声通話及びデータ通信を可能にする公衆網通信部１２、ケーブルを介して機器間を接続して充電やデータ転送を行う有線インタフェース部１４、公衆網通信部１２を用いてハンズフリー通話機能を提供するハンズフリー通話部１５、および公衆網通信部１２を用いてダイヤルアップ接続してデータ通信を行うデータ通信部１６を有する。
【００１９】
Bluetoothは、２．４ＧＨｚ帯の無線周波数を使用する近距離無線通信規格で、マスタ／スレーブ方式を採用し、マスタとなる機器を中心に半径１０ｍ程度までのピコネットと呼ばれる無線サービスエリアを形成する。マスタは、この無線サービスエリア内に存在する最大７台までの機器をスレーブとして無線接続することができる。
【００２０】
ナビゲーションシステム２は、現在地から目的地までの経路案内を基本機能とし、さらにBluetooth通信機能に対応する近距離無線通信部２１、スマートフォン１や携帯電話機等のダイヤルアップ機能を利用してＶＩＣＳ（登録商標）情報や天気情報等を提供する情報提供サービス部２３、およびスマートフォン１や携帯電話機等のハンズフリー通話機能を利用して、ユーザが発した音声をマイクロホンにより入力し、通話相手の受話音声をスピーカにより出力するハンズフリーサービス部２２を有する。
【００２１】
無線通信装置３は、Bluetooth通信機能に対応する近距離無線通信部３１、有線インタフェース部３２、およびスマートフォン１とナビゲーションシステム２との連接処理を行う制御部３３を有する。
【００２２】
制御部３３は、スマートフォン１との間においてはナビゲーションシステム２になりすまし、有線インタフェース部３２により第１データ通信リンクを確立し、近距離無線通信部３１によりスマートフォン１からナビゲーションシステム２への接続要求を受信して第１音声通信リンクを確立する。一方、制御部３３は、ナビゲーションシステム２との間ではスマートフォン１になりすまし、近距離無線通信部３１によりナビゲーションシステム２からスマートフォン１への接続要求を受信して上記第１データ通信リンクおよび上記１音声通信リンクに対応する第２データ通信リンクおよび第２音声通信リンクを確立する。  
なお、スマートフォン１や無線通信装置３が備える有線インタフェース部は、例えばＵＳＢ（Universal Serial Bus）に対応したインタフェース機能を有するものであっても良い。
【００２３】
次に、このように構成された無線通信システムの動作について説明する。図２は、図１に示す無線通信システムの連接処理を示すシーケンス図である。
ここでは、有線インタフェース部における有線接続について、ＵＳＢ方式のインタフェース機能を有する場合について説明する。
【００２４】
（第１段階：スマートフォンとの有線接続）  
無線通信装置３の電源がＯＮされると、制御部３３は、有線による接続初期設定としてＵＳＢデバイスの検出待ち状態となる（ステップＳ１）。制御部３３は、スマートフォン１とのＵＳＢ接続が検出された場合は、スマートフォン１との間にデータ通信用のＵＳＢデータリンク（第１データ通信リンク）を確立する。なお、このときＵＳＢ接続が検出できなかった場合は、ステップＳ３に移行する。
【００２５】
（第２段階：スマートフォンとのBluetooth接続）  
次に、無線通信装置３の制御部３３は、自装置のデバイスタイプをナビゲーションシステム２のデバイスタイプに設定し（Device Class=“Audio Gateway”）、接続要求待ち状態（Status=“Page Scan Enable”）に設定し、周期的に受信周波数を切り替えながらマスタからの接続要求を待ち受ける（ステップＳ３）。なお、このときタイマを設定しておき、所定時間内に接続要求を受信できずにタイムアウトとなった場合は、ステップＳ１０に移行する。
【００２６】
スマートフォン１は、自装置の無線サービスエリア内に存在するリモートデバイスを検出（Page Scan）する（ステップＳ４）。接続要求待ちの無線通信装置３が検出された場合には、スマートフォン１は、無線通信装置３を対象デバイスであるナビゲーションシステム（Device Class＝“Audio Gateway”）として認識する。同様に、ナビゲーションシステム２についても、自装置の無線サービスエリア内に存在するリモートデバイスの検出（Page Scan）を行う（ステップＳ５）。ここで、接続要求待ちの無線通信装置３が検出された場合には、ナビゲーションシステム２は、無線通信装置３を周辺の同種デバイス（Device Class＝“Audio Gateway”）として認識し、対象デバイス（Device Class＝“CELL Phone”）の検出を繰り返す。
【００２７】
スマートフォン１は、検出された無線通信装置３に対し、ハンズフリー音声通話を行うためのＨＦＰ（Hands Free Profile）リンクの接続要求を送信する（ステップＳ６）。無線通信装置３からスマートフォン１へ接続応答（ＨＦＰプロファイルで動作可能）が送信されると、スマートフォン１と無線通信装置３との間でＨＦＰリンクが確立する（ステップＳ７）。そして、このＨＦＰリンクが確立後、無線通信装置３は、このリンクの従属関係を確認し、自装置がマスタで無い場合は、自装置をマスタに切り替え（ステップＳ８）、スマートフォン１をスレーブに切り替える（ステップＳ９）。
【００２８】
（第３段階：ナビゲーションシステムとのBluetooth接続）  
次に、無線通信装置３の制御部３３は、自装置のデバイスタイプをスマートフォン１のデバイスタイプに設定し（Device Class=“CELL Phone”）、接続要求待ち状態（Status=“Page Scan Enable”）に設定し、周期的に受信周波数を切り替えながらマスタからの接続要求を待ち受ける（ステップＳ１０）。なお、このときタイマを設定しておき、所定時間内に接続要求を受信できずにタイムアウトとなった場合は、ステップＳ１７に移行する。
【００２９】
ナビゲーションシステム２は、自装置の無線サービスエリア内に存在するリモートデバイスを検出（Page Scan）する（ステップＳ１１）。接続要求待ちの無線通信装置３が検出された場合には、ナビゲーションシステム２は、無線通信装置３を対象デバイス（Device Class＝“CELL Phone”）として認識する。
【００３０】
ナビゲーションシステム２は、検出された無線通信装置３に対し、ハンズフリー音声通話を行うためのＨＦＰリンクとダイヤルアップ接続を行うためのＤＵＮ（Dial-Up Networking Profile）リンクの接続要求を送信する（ステップＳ１２）。無線通信装置３からナビゲーションシステム２へ接続応答（ＨＦＰ／ＤＵＮプロファイルで動作可能）が送信されると、ナビゲーションシステム２と無線通信装置３との間でＨＦＰリンクとＤＵＮリンクが確立する（ステップＳ１３，Ｓ１４）。そして、このＨＦＰリンクとＤＵＮリンクが確立後、無線通信装置３は、このリンクの従属関係を確認し、自装置がマスタで無い場合は、自装置をマスタに切り替え（ステップＳ１５）、ナビゲーションシステム２をスレーブに切り替える（ステップＳ１６）。
【００３１】
上記第１〜第３段階のような連接処理を行った後に、無線通信装置３は運用状態となる（ステップＳ１７）。このようにスマートフォン１とナビゲーションシステム２との連接に際し、無線通信装置３を中継接続して有線接続リンクと無線接続リンクを集約することで、従来の携帯電話機と同様に、スマートフォン１およびナビゲーションシステム２を機器交換又は改修等することなく、データ通信機能とハンズフリー音声通話機能のような複数のサービスを提供することが可能となる。
【００３２】
以上述べたように、上記実施形態では、ナビゲーションシステム２（連接機器）からは無線通信装置３は従来の携帯電話機と同等機能を持つ携帯電話機として認識される。これにより、連接機器はスマートフォン１との連接での問題を解決し、エンドユーザへの従来と同様のサービスの提供が可能になる。各自動車メーカのテレマティックスサービスを利用し、携帯電話機からスマートフォンへ移行する全てのエンドユーザへのサービス供給の代替手段として提供可能である。
【００３３】
また、例えば、スマートフォン１とナビゲーションシステム２との間で無線通信規格のバージョンが異なる場合や、有線におけるインタフェース規格等が異なる場合、無線通信装置３でそれぞれのバージョンに対応できるように複数の近距離無線通信部や有線インタフェース部または双方のバージョンに互換性を有する近距離無線通信部や有線インタフェース部を備えるようにする。無線通信装置３で無線通信規格や有線インタフェースのバージョン等の差異を補完することにより、例えば、スマートフォン１の無線通信規格や有線インタフェースのバージョンなどに合わせてナビゲーションシステム２のバージョンアップ等をする必要がない。
【００３４】
したがって上記実施形態によれば、連接機器、更にはスマートフォン側に手を加えることなく、複数のサービス機能を提供することができ、改善が期待できる他、機能提供の仕組み、組合せに影響を受けることなく柔軟に対応できることでの連接機器、スマートフォンの拡張へ寄与できる。後付にて相互の連接機器のステークホルダの仕様検討・変更等にかかる費用等を最小限にでき、需要が急増しているスマートフォンへの市場マイグレーションに伴う、従来の携帯電話で提供し、定着している機能の不足を補完することができる。
【００３５】
［第２実施形態］  
図３に、第２実施形態に係る無線通信装置を用いた無線通信システムを示す。第２実施形態では、上記図１の有線インタフェース部１４，３２の代わりに、無線ＬＡＮインタフェース部１７，３４を有する。無線ＬＡＮインタフェース部１７はアクセスポイント（ＡＰ）として動作し、無線ＬＡＮインタフェース部３４はクライアントとしてのステーション（ＳＴＡ）として動作することで、無線ＬＡＮの標準規格であるＷｉＦｉ（Wireless Fidelity）等によりＩＰパケット通信による無線接続を可能にする。図３において、その他の構成は第１実施形態と同じであるので、上記図１と同一部分には同一符号を付し、詳しい説明は省略する。
【００３６】
図４は、図３に示す無線通信システムの連接処理を示すシーケンス図である。ここでは、上記第１段階に相当する無線ＬＡＮインタフェース部１７，３４による無線接続について、ＷｉＦｉ通信機能を有する場合について説明する。
無線通信装置３の電源がＯＮされると、制御部３３は、ＷｉＦｉの接続初期設定として無線ＬＡＮインタフェース部３４をステーション（ＳＴＡ）として動作させて、無線ＬＡＮクライアント部１７のアクセスポイント（ＡＰ）へ接続要求を実施し、接続待ち状態となる（ステップＳ２１）。制御部３３は、スマートフォン１との接続が許可された場合は、スマートフォン１との間にデータ通信用のＩＰリンク（第１データ通信リンク）を確立する（ステップＳ２２）。これ以降は、図２のＳ３〜Ｓ１７と同様に動作する。
【００３７】
以上述べたように、上記第２実施形態によれば、スマートフォンが有する無線ＬＡＮ（ＷｉＦｉ）機能を利用してＩＰ接続によるデータ通信リンクを確立することで、スマートフォン１とナビゲーションシステム２との連接に際し、無線通信装置３をケーブル無しで中継接続して、既存の機器に手を加えることなく、データ通信機能とハンズフリー音声通話のような複数のサービスを提供することが可能となる。
【００３８】
［第３実施形態］  
図５に、第３実施形態に係る無線通信装置を用いた無線通信システムを示す。第３実施形態では、無線通信装置３は上記図１と同様に構成され、有線インタフェース部３２には例えばＵＳＢ接続端子が設けられ、ＷｉＦｉ等の無線ＬＡＮユニット３５がコネクタ接続される。スマートフォン１は上記図３と同様に構成され、有線インタフェース部１７は無線ＬＡＮユニット３５との間で無線ＬＡＮ接続を可能にする。その他の構成及び動作は第２実施形態と同じであるので、詳しい説明は省略する。  
このように第３実施形態のように構成しても、上記第２実施形態と同様の効果を得ることができ、さらに無線ＬＡＮユニット３５を着脱することで、スマートフォン１の仕様に合わせてＵＳＢ接続にも無線ＬＡＮ接続にも対応可能となる。
【００３９】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００４０】
１…スマートフォン、１１…近距離無線通信部、１２…公衆網通信部、１４…有線インタフェース部、１５…ハンズフリー通話部、１６…データ通信部、２…ナビゲーションシステム、２１…近距離無線通信部、２２…ハンズフリーサービス部、２３…情報提供サービス部、３…無線通信装置、３１…近距離無線通信部、３２…有線インタフェース部、３３…制御部、１７…無線ＬＡＮインタフェース部、３４…無線ＬＡＮインタフェース、３５…無線ＬＡＮユニット。
【図１】
0005927099.tif 000002
【図２】
0005927099.tif 000003
【図３】
0005927099.tif 000004
【図４】
0005927099.tif 000005
【図５】
0005927099.tif 000006